(57)【要約】【課題】電線を曲がった状態に維持する配線具を備えるワイヤハーネスにおいて、コストを抑えつつ、ワイヤハーネスの形状の要求仕様の多様化に対して迅速に対応できること。【解決手段】ワイヤハーネス１は、電線群９０と配線具１０と結束材８とを備える。配線具１０は、紫外線硬化樹脂の板状の部材からなり、当該部材を横断して他の部分よりも屈曲しやすく形成された直線状の境目部１２を有し、境目部１２において屈曲した形状で硬化している。結束材８は、電線群９０が配線具１０に沿って曲がった状態で電線群９０を配線具１０に留める。【選択図】図１
2013187980.tif 000002
【特許請求の範囲】
【請求項１】
電線と、
紫外線硬化樹脂の板状の部材からなり、当該部材を横断して他の部分よりも屈曲しやすく形成された直線状の第１の境目部を有し、前記第１の境目部において屈曲した形状で硬化した配線具と、
前記電線が前記配線具に沿って曲がった状態で前記電線を前記配線具に留める電線留め部材と、を備えるワイヤハーネス。
【請求項２】
前記電線留め部材は、前記配線具の一部を形成し前記電線の外周に沿って曲がった状態で硬化した帯状部を含む、請求項１に記載のワイヤハーネス。
【請求項３】
前記配線具の前記帯状部は、当該帯状部の幅方向に沿って他の部分よりも屈曲しやすく形成された直線状の第２の境目部を有し、前記第２の境目部において屈曲するとともに前記電線の外周に沿って曲がった状態で硬化している、請求項２に記載のワイヤハーネス。
【請求項４】
前記配線具は、当該配線具の前記第１の境目部に交差する方向の両端部において他の部分に対し段差を経て狭い幅で形成された舌片部を有し、
前記配線留め部材は、前記電線の一部と前記配線具の前記舌片部とを束ねる結束材を含む、請求項１から請求項３のいずれかに記載のワイヤハーネス。
【請求項５】
電線に取り付けられることにより前記電線の形状を屈曲した形状に維持する配線具であって、
紫外線硬化樹脂の板状の部材からなり、当該部材を横断して他の部分よりも屈曲しやすく形成された直線状の第１の境目部を有し、紫外光の照射により硬化する前の可撓性を有する状態にある配線具。
【請求項６】
幅方向に伸びて形成された帯状部をさらに有する、請求項５に記載の配線具。
【請求項７】
前記帯状部は、当該帯状部の幅方向に沿って他の部分よりも屈曲しやすく形成された直線状の第２の境目部を有する、請求項６に記載の配線具。
【請求項８】
前記第１の境目部に交差する方向の両端部において他の部分に対し段差を経て狭い幅で形成された舌片部をさらに有する、請求項５から請求項７のいずれかに記載の配線具。
【発明の詳細な説明】
【技術分野】
【０００１】
本発明は、電線を曲がった状態に維持する配線具及びそれを備えるワイヤハーネスに関する。
【背景技術】
【０００２】
自動車などの車両に搭載されるワイヤハーネスは、電線に取り付けられた樹脂製の配線具を備え、電線がその配線具によって予め定められた経路に沿って保持された状態で敷設されることが多い。
【０００３】
従来の一般的なワイヤハーネスにおいては、例えば、特許文献１に示されるように、電線は、粘着テープ又はベルト部材などの結束材により、予め曲がった形状に成形された硬い板状又は棒状の配線具に固定される。これにより、電線は、予め定められた形状で保持される。そのような配線具は、通常、熱可塑性樹脂の射出成形により成形される。
【０００４】
また、特許文献１に示される配線具（プロテクタ）が採用された場合、形状の異なる樹脂部材の組み合わせ方を変えることによって電線を異なる経路に沿って保持することが可能である。
【先行技術文献】
【特許文献】
【０００５】
【特許文献１】特開平０５−３０７９１６号公報
【発明の概要】
【発明が解決しようとする課題】
【０００６】
しかしながら、熱可塑性樹脂の射出成形により得られる従来の一般的な配線具が採用される場合、配線経路に応じて三次元形状の異なる多くの種類の金型の設計及び製造が必要となる。この場合、ワイヤハーネスの形状の要求仕様の多様化に対して迅速に対応すること及びコストを抑えることが難しい。
【０００７】
また、特許文献１に示される配線具（プロテクタ）が採用されることにより、ワイヤハーネスの形状の自由度が高まるが、昨今、ワイヤハーネスの形状の要求仕様の多様化に対してより迅速に対応すること及びよりコストを抑えることが求められている。
【０００８】
本発明は、電線を曲がった状態に維持する配線具を備えるワイヤハーネスにおいて、コストを抑えつつ、ワイヤハーネスの形状の要求仕様の多様化に対して迅速に対応できることを目的とする。
【課題を解決するための手段】
【０００９】
本発明の第１態様に係るワイヤハーネスは、以下に示される各構成要素を備える。
（１）第１の構成要素は電線である。
（２）第２の構成要素は、紫外線硬化樹脂の板状の部材からなり、当該部材を横断して他の部分よりも屈曲しやすく形成された直線状の第１の境目部を有し、前記第１の境目部において屈曲した形状で硬化した配線具である。
（３）第３の構成要素は、前記電線が前記配線具に沿って曲がった状態で前記電線を前記配線具に留める電線留め部材である。
【００１０】
本発明の第２態様に係るワイヤハーネスは、第１態様に係るワイヤハーネスの一態様である。第２態様に係るワイヤハーネスにおいて、前記電線留め部材は、前記配線具の一部を形成し前記電線の外周に沿って曲がった状態で硬化した帯状部を含む。
【００１１】
本発明の第３態様に係るワイヤハーネスは、第２態様に係るワイヤハーネスの一態様である。第３態様に係るワイヤハーネスにおいて、前記配線具の前記帯状部は、当該帯状部の幅方向に沿って他の部分よりも屈曲しやすく形成された直線状の第２の境目部を有し、前記第２の境目部において屈曲するとともに前記電線の外周に沿って曲がった状態で硬化している。
【００１２】
本発明の第４態様に係るワイヤハーネスは、第１態様から第３態様のいずれかに係るワイヤハーネスの一態様である。第４態様に係るワイヤハーネスにおいて、前記配線具は、当該配線具の前記第１の境目部に交差する方向の両端部において他の部分に対し段差を経て狭い幅で形成された舌片部を有し、前記配線留め部材は、前記電線の一部と前記配線具の前記舌片部とを束ねる結束材を含む。
【００１３】
また、本発明は、紫外光の照射により硬化する前の配線具の発明として捉えられてもよい。本発明の第５態様に係る配線具は、電線に取り付けられることにより前記電線の形状を屈曲した形状に維持する用具である。この配線具は、紫外線硬化樹脂の板状の部材からなり、当該部材を横断して他の部分よりも屈曲しやすく形成された直線状の第１の境目部を有し、紫外光の照射により硬化する前の可撓性を有する状態にある。
【００１４】
本発明の第６態様に係る配線具は、第５態様に係る配線具の一態様である。第６態様に係る配線具は、幅方向に伸びて形成された帯状部をさらに有する。
【００１５】
本発明の第７態様に係る配線具は、第６態様に係る配線具の一態様である。第７態様に係る配線具において、前記帯状部は、当該帯状部の幅方向に沿って他の部分よりも屈曲しやすく形成された直線状の第２の境目部を有する。
【００１６】
本発明の第８態様に係る配線具は、第５態様から第７態様のいずれかに係る配線具の一態様である。第８態様に係る配線具は、前記第１の境目部に交差する方向の両端部において他の部分に対し段差を経て狭い幅で形成された舌片部をさらに有する。
【発明の効果】
【００１７】
本発明の第１態様及び第５態様において、配線具は、紫外光が照射される前においては、可撓性を有する紫外線硬化樹脂の平板状の部材である。その平板状の部材は、屈曲しやすい境目部で曲げられた後に紫外光が照射されることにより、配線経路に沿う屈曲した形状で硬化し、電線の形状を維持する配線具となる。即ち、本発明における配線具は、屈曲した三次元形状への成形のための金型を必要とせず、予め用意された平板状の紫外線硬化樹脂の部材を折り曲げ、紫外光をその部材に照射するという簡易な工程により成形される。
【００１８】
従って、本発明によれば、電線を曲がった状態に維持する配線具を備えるワイヤハーネスにおいて、コストを抑えつつ、ワイヤハーネスの形状の要求仕様の多様化に対して迅速に対応することが可能となる。
【００１９】
また、第２態様及び第６態様においては、配線具の一部である帯状部が、曲がって固化した状態で電線を保持する。そのような配線具の帯状部が、粘着テープ又は結束ベルトなどの独立した電線留め部材の代わりに用いられれば、部品点数が低減し、電線に対する配線具の取り付け工数が低減する。また、そのような配線具の帯状部が、他の電線留め部材とともに用いられれば、帯状部が電線の仮留めの機能及び電線保持力を補強する機能を果たす。
【００２０】
また、第３態様及び第７態様によれば、配線具の帯状部を電線の周囲に沿って曲げることが容易となり、電線を配線具に留める作業が容易となる。
【００２１】
また、第４の態様及び第８態様によれば、配線具の舌片部が、粘着テープ又は結束ベルトなどの結束材を巻き付ける位置の目安となり、結束材によって電線を配線具に留める作業が容易となる。また、結束材は、板状の配線具における幅の広い他の部分に巻き付けられるよりも、幅の狭い舌片部に巻き付けられる方が、電線をより強固に配線具に留めることができる。
【図面の簡単な説明】
【００２２】
【図１】本発明の第１実施形態に係るワイヤハーネス１の斜視図である。
【図２】本発明の第１実施形態に係る配線具１０の斜視図である。
【図３】配線具の取り付け工程における電線群及び配線具の側面図である。
【図４】本発明の第２実施形態に係る配線具１０Ａの平面図である。
【図５】本発明の第２実施形態に係るワイヤハーネス１Ａの側面図である。
【図６】本発明の第３実施形態に係る配線具１０Ｂの平面図である。
【図７】本発明の第３実施形態に係るワイヤハーネス１Ｂの側面図である。
【図８】本発明の第４実施形態に係る配線具１０Ｃの平面図である。
【図９】本発明の第４実施形態に係るワイヤハーネス１Ｃの第１の例の側面図である。
【図１０】本発明の第４実施形態に係るワイヤハーネス１Ｃの第２の例の側面図である。
【発明を実施するための形態】
【００２３】
以下、添付の図面を参照しながら、本発明の実施形態について説明する。以下の実施形態は、本発明を具体化した一例であり、本発明の技術的範囲を限定する事例ではない。
【００２４】
＜第１実施形態＞
まず、図１，２を参照しつつ、本発明の第１実施形態に係るワイヤハーネス１及び配線具１０の構成について説明する。図１に示されるように、ワイヤハーネス１は、複数の電線９からなる電線群９０と、配線具１０と、結束材８と、を備えている。
【００２５】
電線９は、例えば、銅又はアルミニウムなどの金属を主成分とする導体と、その導体の周囲を覆う絶縁被覆とにより構成された絶縁電線である。
【００２６】
配線具１０は、電線群９０を曲がった状態に維持するための部材である。例えば図１に示されるように、電線群９０が、車両のフレーム又は電装機器などの他の部材７との干渉を避けるために迂回して敷設される場合に、配線具１０が用いられる。さらに、配線具１０は、電線群９０が他の部材７と接触して損傷することを防ぐ。なお、図１において、干渉回避の対象となる他の部材７が仮想線（二点鎖線）により描かれている。
【００２７】
配線具１０は、紫外線硬化樹脂の板状の部材からなり、基部１１と基部１１の両端に連なる２つの舌片部１３とにより構成されている。
【００２８】
基部１１には、基部１１を横断して他の部分よりも屈曲しやすく形成された直線状の境目部１２が形成されている。本実施形態における境目部１２は、基部１１を横断して他の部分よりも薄く形成された直線状の薄肉部である。そのような境目部１２は、基部１１の表裏の主面のうちの少なくとも一方において直線状の溝を形成している。なお、境目部１２は、第１の境目部の一例である。
【００２９】
舌片部１３は、配線具１０の境目部１２に交差する方向の両端部において他の部分に対し段差１４を経て狭い幅で形成された部分である。また、舌片部１３の先端部１３１は、舌片部１３の他の部分よりも広い幅で形成されている。
【００３０】
図２に示されるように、配線具１０は、紫外光が照射される前においては、可撓性を有する紫外線硬化樹脂の平板状の部材である。即ち、電線群９０に取り付けられる前の配線具１０は、紫外線硬化樹脂の板状の部材からなり、直線状の境目部１２を有し、紫外光の照射により硬化する前の可撓性を有する状態にある。
【００３１】
紫外線硬化樹脂は、各種考えられるが、例えば、アクリルレート、不飽和ポリエステル、エポキシ、オキセタン又はビニルエーテルなどを主成分とする樹脂である。
【００３２】
図１，２に示される例では、基部１１に形成された２つの境目部１２のうち、一方は基部１１の第一主面１１１において直線状の溝を形成しており、他方は基部１１の第二主面１１２において直線状の溝を形成している。基部１１は、境目部１２において、その境目部１２が溝を形成する側の面を外側にして折り曲げられる。
【００３３】
電線群９０に取り付けられた後の配線具１０は、紫外線硬化樹脂の板状の部材からなり、他の部分よりも屈曲しやすく形成された直線状の境目部１２において屈曲した形状で硬化した部材である。
【００３４】
また、ワイヤハーネス１において、結束材８は、電線群９０が境目部１２で屈曲した配線具１０に沿って曲がった状態で、電線群９０を少なくとも配線具１０に留める電線留め部材の一例である。結束材８は、例えば、粘着テープ又は結束ベルトなどである。
【００３５】
本実施形態においては、２つの結束材８が、少なくとも電線群９０の２箇所の部位各々と配線具１０の２つの舌片部１３各々とを束ねている。これにより、電線群９０は、配線具１０に沿って曲がった状態で配線具１０に留められる。また、ワイヤハーネス１は、必要に応じて電線群９０の基部１１と配線具１０とを束ねる結束材８を備える場合もある。
【００３６】
また、舌片部１３の先端部１３１が他の部分よりも広い幅で形成されているため、舌片部１３の先端部１３１以外の部分に巻き付けられた結束材８は、舌片部１３から外れにくい。
【００３７】
次に、図３を参照しつつ、電線群９０に対する配線具１０の取り付け工程の一例について説明する。図３（ａ），図３（ｂ）及び図３（ｃ）は、配線具１０の取り付け工程おける電線群９０及び配線具１０の側面図である。
【００３８】
配線具１０の取り付け工程においては、まず、図３（ａ）に示されるように、電線群９０の一部と、平板状の配線具１０における一方の舌片部１３とが、結束材８により結束される。
【００３９】
次に、平板状の配線具１０が、屈曲しやすい２箇所の境目部１２各々において曲げられ、さらに、電線群９０が、２箇所の境目部１２において屈曲した配線具１０に沿って曲げられる。さらに、電線群９０の一部と、配線具１０における他方の舌片部１３とが、結束材８により結束される。さらに、紫外光源６からの紫外光が、境目部１２において屈曲した配線具１０に照射される。これにより、配線具１０は、配線経路に沿う屈曲した形状で硬化し、電線群９０の形状を曲がった形状に維持する部材となる。
【００４０】
なお、図１及び図３に示される例では、基部１１は、境目部１２において直角に曲がった状態で硬化しているが、境目部１２における基部１１の折り曲げ角度は、電線群９０の配線経路に応じて定められる。
【００４１】
また、図３（ｃ）に示されるように、電線群９０は、必要に応じて、配線具１０における舌片部１３以外の部分にも結束材８により結束される。
【００４２】
＜第２実施形態＞
次に、図４及び図５を参照しつつ、本発明の第２実施形態に係るワイヤハーネス１Ａ及び配線具１０Ａについて説明する。配線具１０Ａは、図１〜３に示された配線具１０と比較して、一部の構成要素が追加された構成を有している。
【００４３】
図４は、配線具１０Ａの平面図である。図５は、配線具１０Ａを備えるワイヤハーネス１Ａの側面図である。図４及び図５において、図１〜３に示される構成要素と同じ構成要素は、同じ参照符号が付されている。以下、配線具１０Ａ及びワイヤハーネス１Ａにおける配線具１０及びワイヤハーネス１と異なる点についてのみ説明する。
【００４４】
配線具１０Ａは、配線具１０が備える構成に加え、幅方向に伸びて形成された帯状部１５をさらに有している。図４及び図５に示される例では、２つの帯状部１５は、２つの舌片部１３各々から側方へ伸びて形成されている。なお、帯状部１５が基部１１から側方へ伸びて形成されることも考えられる。
【００４５】
また、本実施形態においては、２つの帯状部１５各々は、当該帯状部１５の幅方向に沿って他の部分よりも屈曲しやすく形成された直線状の境目部１５１を有する。図４に示される例では、複数の境目部１５１が、帯状部１５の根元部及びその他の部分において間隔を開けて並んで形成されている。なお、境目部１５１は、第２の境目部の一例である。
【００４６】
帯状部１５における境目部１５１は、例えば、基部１１の境目部１２と同様に、帯状部１５を横断して他の部分よりも薄く形成された直線状の薄肉部である。そのような境目部１５１は、電線群９０に対向する側の面に対して反対側の面において直線状の溝を形成している。帯状部１５は、境目部１５１において、その境目部１５１が溝を形成する側の面を外側にして折り曲げられつつ電線群９０の周囲に巻き付けられる。
【００４７】
図５に示されるように、ワイヤハーネス１Ａにおいて、帯状部１５は、配線具１０Ａの一部を形成し電線群９０の外周に沿って曲がった状態で硬化した部分である。即ち、帯状部１５は、紫外光が照射される前に電線群９０の周囲に巻き付けられた後、紫外光が照射されることによって硬化する。
【００４８】
図４及び図５に示されるような配線具１０Ａ及びワイヤハーネス１Ａも、本発明の実施形態の一つである。
【００４９】
＜第３実施形態＞
次に、図６及び図７を参照しつつ、本発明の第３実施形態に係るワイヤハーネス１Ｂ及び配線具１０Ｂについて説明する。配線具１０Ｂは、図４及び図５に示された配線具１０Ａと比較して、一部の構成要素が除かれるとともに、一部の構成要素が追加された構成を有している。
【００５０】
図６は、配線具１０Ｂの平面図である。図７は、配線具１０Ｂを備えるワイヤハーネス１Ｂの側面図である。図６及び図７において、図１〜５に示される構成要素と同じ構成要素は、同じ参照符号が付されている。以下、配線具１０Ｂ及びワイヤハーネス１Ｂにおける配線具１０，１０Ａ及びワイヤハーネス１，１Ａと異なる点についてのみ説明する。
【００５１】
配線具１０Ｂは、舌片部１３を有しておらず、基部１１の両端部と中間部分とに形成された４つの帯状部１５を有している。４つの帯状部１５は、配線具１０Ｂの幅方向に伸びて形成され、電線群９０の外周に巻き付けられる部分である。
【００５２】
なお、帯状部１５が、基部１１の両端部のみに設けられること、或いは、基部１１の両端部と基部１１の中間部における１箇所とに設けられることなども考えられる。
【００５３】
また、本実施形態においても、帯状部１５各々は、当該帯状部１５の幅方向に沿って他の部分よりも屈曲しやすく形成された直線状の境目部１５１を有する。図６に示される例では、複数の境目部１５１が、帯状部１５の根元部及びその他の部分において間隔を開けて並んで形成されている。
【００５４】
図７に示されるように、ワイヤハーネス１Ｂにおいて、帯状部１５は、配線具１０Ａの一部を形成し電線群９０の外周に沿って曲がった状態で硬化した部分である。即ち、帯状部１５は、紫外光が照射される前に電線群９０の周囲に巻き付けられた後、紫外光が照射されることによって硬化する。
【００５５】
図６及び図７に示されるような配線具１０Ｂ及びワイヤハーネス１Ｂも、本発明の実施形態の一つである。なお、基部１１の中間部分の帯状部１５が省略される場合、電線群９０と基部１１の中間部分とが結束材８により結束されることが望ましい。
【００５６】
＜第４実施形態＞
次に、図８〜１０を参照しつつ、本発明の第４実施形態に係るワイヤハーネス１Ｃ及び配線具１０Ｃについて説明する。配線具１０Ｃは、図１〜３に示された配線具１０と比較して、境目部１２の代わりに境目部１２Ａを有する点のみが異なる。
【００５７】
図８は、配線具１０Ｃの平面図である。図９及び図１０は、それぞれ配線具１０Ｃを備えるワイヤハーネス１Ａの第１の例及び第２の例の側面図である。図８〜１０において、図１〜３に示される構成要素と同じ構成要素は、同じ参照符号が付されている。以下、配線具１０Ｃ及びワイヤハーネス１Ｃにおける配線具１０及びワイヤハーネス１と異なる点についてのみ説明する。
【００５８】
配線具１０Ｃは、配線具１０と同様に、基部１１とその両端に連なる舌片部１３とにより構成されている。配線具１０Ｃの基部１１には、基部１１を横断して他の部分よりも屈曲しやすく形成された直線状の境目部１２Ａが形成されている。
【００５９】
本実施形態における境目部１２Ａは、基部１１の幅方向において間隔を開けて並ぶ複数の孔１２１が形成された部分である。そのような境目部１２Ａは、基部１１における他の部分よりも屈曲しやすく、また、基部１１における表裏両面のどちら側へも屈曲しやすい。本実施形態においては、配線具１０Ｃの基部１１に、３つの境目部１２Ａが形成されている。なお、境目部１２Ａは、第１の境目部の一例である。
【００６０】
図９及び図１０に示されるワイヤハーネス１Ｃは、基部１１の境目部１２Ａにおいて屈曲して硬化した配線具１０Ｃと、その配線具１０Ｃに沿って２箇所で曲がった電線群９０と、配線具１０Ｃに沿って曲がった状態の電線群９０を配線具１０Ｃに留める結束材８とを備える。
【００６１】
但し、図９に示されるワイヤハーネス１Ｃは、基部１１における２箇所の境目部１２Ａにおいて屈曲して硬化した配線具１０Ｃを備える。従って、図９に示されるワイヤハーネス１Ｃにおける電線群９０の形状は、配線具１０Ｃに沿って２箇所で曲がった状態で維持される。
【００６２】
一方、図１０に示されるワイヤハーネス１Ｃは、基部１１における１箇所の境目部１２Ａにおいてのみ屈曲して硬化した配線具１０Ｃを備える。従って、図１０に示されるワイヤハーネス１Ｃにおける電線群９０の形状は、配線具１０Ｃに沿って１箇所で曲がった状態で維持される。
【００６３】
図８〜１０に示されるように、配線具１０Ｃが複数の境目部１２Ａを有する場合、複数の境目部１２Ａから屈曲させる１つ又は複数の部位を選択することにより、１種類の配線具１０Ｃから用途に応じて形状の異なる複数種類の配線具１０Ｃを容易に作ることができる。図８〜１０に示されるような配線具１０Ｃ及びワイヤハーネス１Ｃも、本発明の実施形態の一つである。
【００６４】
＜効果＞
配線具１０，１０Ａ，１０Ｂ，１０Ｃは、紫外光が照射される前においては、可撓性を有する紫外線硬化樹脂の平板状の部材である。その平板状の部材は、屈曲しやすい境目部１２，１２Ａで曲げられた後に紫外光が照射されることにより、配線経路に沿う屈曲した形状で硬化し、電線群９０の形状を維持する部材となる。
【００６５】
即ち、配線具１０，１０Ａ，１０Ｂ，１０Ｃは、屈曲した三次元形状への成形のための金型を必要とせず、予め用意された平板状の紫外線硬化樹脂の部材を折り曲げ、紫外光をその部材に照射するという簡易な工程により成形される。
【００６６】
従って、配線具１０，１０Ａ，１０Ｂ，１０Ｃが採用されることにより、曲がった状態に維持される電線群９０を備えるワイヤハーネス１，１Ａ，１Ｂ，１Ｃにおいて、コストを抑えつつ、ワイヤハーネスの形状の要求仕様の多様化に対して迅速に対応することが可能となる。
【００６７】
また、ワイヤハーネス１Ａ，１Ｂにおいては、配線具１０Ａ，１０Ｂの一部である帯状部１５が、曲がって固化した状態で電線群９０を保持する。そのような配線具１０Ａ，１０Ｂの帯状部１５が、結束材８などの独立した電線留め部材の代わりに用いられれば、部品点数が低減し、電線群９０に対する配線具１０Ｂの取り付け工数が低減する。また、配線具１０Ａの帯状部１５が、結束材８とともに用いられれば、帯状部１５が電線群９０の仮留めの機能及び電線保持力を補強する機能を果たす。
【００６８】
また、配線具１０Ａ，１０Ｂにおいては、他の部分よりも曲げやすい境目部１５１が帯状部１５に形成されているため、帯状部１５を電線群９０の周囲に沿って曲げることが容易となり、電線群９０を配線具１０Ａ，１０Ｂに留める作業が容易となる。
【００６９】
また、ワイヤハーネス１，１Ａ，１Ｃにおいては、配線具１０，１０Ａ，１０Ｃの舌片部１３が、粘着テープ又は結束ベルトなどの結束材８を巻き付ける位置の目安となり、結束材８によって電線群９０を配線具１，１Ａ，１Ｃに留める作業が容易となる。また、結束材８は、板状の配線具１，１Ａ，１Ｃにおける幅の広い基部１１に巻き付けられるよりも、幅の狭い舌片部１３に巻き付けられる方が、電線群９０をより強固に配線具１０，１０Ａ，１０Ｃに留めることができる。
【００７０】
＜その他＞
配線具１０Ａ，１０Ｂにおいて、帯状部１５における境目部１５１が、配線具１０Ｃの境目部１２Ａと同様の構成を有することも考えられる。
【００７１】
また、図３に示された配線具１０の取り付け工程の手順は一例であり、他の手順で配線具１０，１０Ａ，１０Ｂ，１０Ｃが電線群９０に取り付けられることも考えられる。
【００７２】
例えば、配線具１０が、境目部１２で折り曲げられ、紫外光の照射により硬化させられた後、屈曲した配線具１０と電線群９０とが結束材８により結束されることなども考えられる。
【符号の説明】
【００７３】
１，１Ａ，１Ｂ，１Ｃ  ワイヤハーネス
６  紫外光源
７  他の部材
８  結束材（電線留め部材）
９  電線
１０，１０Ａ，１０Ｂ，１０Ｃ  配線具
１１  基部
１２，１２Ａ  境目部（第１の境目部）
１３  舌片部
１４  段差
１５  帯状部（電線留め部材）
９０  電線群
１１１  基部の第一主面
１１２  基部の第二主面
１２１  孔
１３１  舌片部の先端部
１５１  境目部（第２の境目部）
【図１】
2013187980.tif 000003
【図２】
2013187980.tif 000004
【図３】
2013187980.tif 000005
【図４】
2013187980.tif 000006
【図５】
2013187980.tif 000007
【図６】
2013187980.tif 000008
【図７】
2013187980.tif 000009
【図８】
2013187980.tif 000010
【図９】
2013187980.tif 000011
【図１０】
2013187980.tif 000012